(57)【要約】      （修正有）【課題】地震時の揺れ方向が異なる構造物同士を結合して、建物全体を一体化して耐震補強するために、施工期間が短く、施工スペースが小さく、かつ、構造物同士の結合強度が高くなるエキスパンションジョイント結合構造を提供する。【解決手段】第１構造物１のスラブ１０の先端に取り付けられると共に、水平方向に延設される金属製の第１プレート３１と、第２構造物２の壁面２０に取り付けられると共に、第１プレート１と平行に水平方向に延設される金属製の第２プレート３２と、第１及び第２プレート３１，３２を結合し、水平方向に所定の間隔を置いて垂直面に沿って設けられ、かつ、下側にアーチ型辺３３０を有する金属製の連結プレート３３と、連結プレート３３のアーチ型辺３３０に沿って取り付けられると共に、水平方向に延設される金属製のアーチプレート３４と、第１プレート、第２プレート、連結プレート及びアーチプレートで囲まれて補強鉄筋が配筋された空間に充填されるコンクリートと、を備える。【選択図】図２
0003208831.tif 000002
【実用新案登録請求の範囲】
【請求項１】
地震時の揺れ方向が異なる複数の構造物の間の隙間を結合するエキスパンションジョイント結合構造において、
第１構造物のスラブの先端に取り付けられると共に、水平方向に延設される金属製の第１プレートと、
第２構造物の壁面に取り付けられると共に、前記第１プレートと対向し平行に水平方向に延設される金属製の第２プレートと、
前記第１及び第２プレートを結合し、水平方向に所定の間隔を置いて垂直面に沿って設けられ、かつ、下側にアーチ型辺を有する金属製の連結プレートと、
前記連結プレートの前記アーチ型辺に沿って取り付けられると共に、水平方向に延設される金属製のアーチプレートと、
前記第１プレート、前記第２プレート、前記連結プレート及び前記アーチプレートで囲まれて補強鉄筋が配筋された空間に充填されるコンクリートと、を備える
ことを特徴とするエキスパンションジョイント結合構造。
【請求項２】
所定の長さの前記第１及び第２プレートと、
少なくとも１つの前記連結プレートと、からなる結合ユニットを備え、
前記第１及び第２構造物の間に複数の前記結合ユニットを水平方向に連続的に配列する
ことを特徴とする請求項１に記載のエキスパンションジョイント結合構造。
【請求項３】
前記連結プレートは、前記補強鉄筋を通すための複数の孔と、前記コンクリートが通過するための大型の貫通孔を備える
ことを特徴とする請求項１又は２に記載のエキスパンションジョイント結合構造。
【請求項４】
前記アーチプレートは、曲げ加工された鋼板又は角波鋼板からなる
ことを特徴とする請求項１〜３のいずれかに記載のエキスパンションジョイント結合構造。
【考案の詳細な説明】
【技術分野】
【０００１】
本考案は、平面形状がＬ字型やコ字型のマンションや学校などの建物において、地震時の揺れ方向が異なる構造物同士を結合して、建物全体を一体化して耐震補強するエキスパンションジョイント結合構造に関する。
【背景技術】
【０００２】
平面形状がＬ字型やコ字型のマンションや学校などの建物では、地震時の揺れ方向が異なる構造物同士の間に十分な隙間（いわゆる「エキスパンションジョイント」）が設けられる（例えば、特許文献１参照）。これにより、それぞれの構造物の水平変形量が最大となったときでも、この隙間によって、構造物同士が衝突しないように設計されている。
【０００３】
ところが、古い耐震基準や施工不良、建物の基礎地盤変化などによって、それぞれの構造物の隙間（エキスパンションジョイント）が十分に確保されていない建物がある。この建物では、地震時に、構造物同士が衝突して倒壊する危険性がある。
【０００４】
既設の建物では、上記の隙間を広げることができないので、建物全体の耐震力を向上する必要がある。そこで、Ｘ型やＶ型あるいはＫ型等のコンクリート製の筋交いを建物に設置する技術がある。しかし、美観や利便性あるいは敷地条件や設置条件的に問題があり、この技術を採用することが困難である場合が多い。
【０００５】
上記の問題点を解決するために、地震時の揺れ方向が異なる構造物同士の隙間（エキスパンションジョイント）を結合して一体化することで、互いの揺れ方向を相殺することで建物全体としての揺れを減少させて、耐震力を向上することが考えられる。
【０００６】
ところが、従来の工法で、構造物同士の隙間（エキスパンションジョイント）をコンクリートで結合すると、配筋やコンクリートの養生などのために、長期の施工期間を必要としたり、型枠を設置するために大きな施工スペースを必要としたり、構造物同士の結合強度が不足するなどの問題点がある。
【先行技術文献】
【特許文献】
【０００７】
【特許文献１】特開２００８−２０２２９２号公報
【考案の概要】
【考案が解決しようとする課題】
【０００８】
そこで、本考案が解決しようとする課題は、平面形状がＬ字型やコ字型のマンションや学校などの建物において、地震時の揺れ方向が異なる構造物同士を結合して、建物全体を一体化して耐震補強するために、施工期間が短く、施工スペースが小さく、かつ、構造物同士の結合強度が高いエキスパンションジョイント結合構造を提供することにある。
【課題を解決するための手段】
【０００９】
上記の課題を解決するために、本考案に係るエキスパンションジョイント結合構造は、
地震時の揺れ方向が異なる複数の構造物の間の隙間を結合するエキスパンションジョイント結合構造において、
第１構造物のスラブの先端に取り付けられると共に、水平方向に延設される金属製の第１プレートと、
第２構造物の壁面に取り付けられると共に、第１プレートと対向し平行に水平方向に延設される金属製の第２プレートと、
第１及び第２プレートを結合し、水平方向に所定の間隔を置いて垂直面に沿って設けられ、かつ、下側にアーチ型辺を有する金属製の連結プレートと、
連結プレートのアーチ型辺に沿って取り付けられると共に、水平方向に延設される金属製のアーチプレートと、
第１プレート、第２プレート、連結プレート及びアーチプレートで囲まれて補強鉄筋が配筋された空間に充填されるコンクリートと、を備える。
【００１０】
好ましくは、
所定の長さの第１及び第２プレートと、
少なくとも１つの連結プレートと、からなる結合ユニットを備え、
第１及び第２構造物の間に複数の結合ユニットを水平方向に連続的に配列する。
【００１１】
好ましくは、
連結プレートは、補強鉄筋を通すための複数の孔と、コンクリートが通過するための大型の貫通孔を備える。
【００１２】
好ましくは、
アーチプレートは、曲げ加工された鋼板又は角波鋼板からなる。
【考案の効果】
【００１３】
本考案に係るエキスパンションジョイント結合構造は、平面形状がＬ字型やコ字型のマンションや学校などの建物において、地震時の揺れ方向が異なる構造物同士を結合して、建物全体を一体化して耐震補強するために、施工期間が短く、施工スペースが小さく、かつ、構造物同士の結合強度が高いエキスパンションジョイント結合構造を提供することができる。
【図面の簡単な説明】
【００１４】
【図１】建物を示す断面平面図。
【図２】エキスパンションジョイント結合構造を示し、（Ａ）は図１のＡ−Ａ断面図、（Ｂ）は（Ａ）の平面図。
【図３】結合ユニットを示す斜視図。
【考案を実施するための形態】
【００１５】
以下、図面に基づいて、本考案に係るエキスパンションジョイント結合構造を説明する。第１水平方向Ｘ、第２水平方向Ｙ及び垂直方向Ｚは、互いに直角な方向である。
【００１６】
図１の通り、本実施形態では、平面形状がコ字型のマンションや学校などの建物であって、この建物は、地震時の揺れ方向が異なる第１構造物１と第２構造物２とを備える。第１構造物１は、第１水平方向Ｘに沿って延設される。第１構造物１は、第１水平方向Ｘに沿って配列された複数の部屋を備える。第２構造物２は、第２水平方向Ｙに沿って延設される。第２構造物２は、第２水平方向Ｙに沿って配列された複数の部屋を備える。
【００１７】
第１構造物１及び第２構造物２は、異なる第１及び第２水平方向Ｘ，Ｙに延設されると共に、異なる第１及び第２水平方向Ｘ，Ｙに沿って配列された複数の部屋を備えるので、地震時の揺れ方向が異なるという性質を有する。
【００１８】
図１の通り、第１構造物１は、第１水平方向Ｘに沿って延設されたスラブ１０を備える。スラブ１０は、各部屋のための廊下として利用される。そして、図２の通り、スラブ１０は、第２構造物２に向けて突出している。第１構造物１のスラブ１０と第２構造物２との間には、隙間（エキスパンションジョイント）を備える。
【００１９】
地震時の揺れ方向が異なる構造物１，２同士の隙間（エキスパンションジョイント）を結合して一体化することで、互いの揺れ方向を相殺することで建物全体としての揺れを減少させて、耐震力を向上する。
【００２０】
図２の通り、第１構造物１のスラブ１０と第２構造物２の壁面２０との間に、隙間（エキスパンションジョイント）を結合するためのエキスパンションジョイント結合構造３が設置される。
【００２１】
エキスパンションジョイント結合構造３は、第１水平方向Ｘに延設される金属製の第１プレート３１を備える。第１プレート３１は、第１構造物１のスラブ１０の先端１０ａに、アンカーボルト等を介して取り付けられる。
【００２２】
エキスパンションジョイント結合構造３は、第１水平方向Ｘに延設される金属製の第２プレート３２を備える。第２プレート３２は、第２構造物２の壁面２０に、アンカーボルト等を介して取り付けられる。そのため、第１及び第２プレート３１，３２は、互いに平行かつ対向する。
【００２３】
エキスパンションジョイント結合構造３は、下側にアーチ型辺３３０を有する金属製の連結プレート３３を備える。連結プレート３３は、第１及び第２プレート３１，３２を結合し、第１水平方向Ｘに所定の間隔を置いて垂直面に沿って設けられる。そのため、連結プレート３３は、第２水平方向Ｙ及び垂直方向Ｚに延設する。
【００２４】
エキスパンションジョイント結合構造３は、第１水平方向Ｘに延設される金属製のアーチプレート３４を備える。アーチプレート３４は、連結プレート３３のアーチ型辺３３０に沿って取り付けられる。そのため、アーチプレート３４は、複数の連結プレート３３のアーチ型辺３３０に渡って設けられる。
【００２５】
図３の通り、本実施形態では、結合ユニット３０は、所定の長さの第１プレート３１と、所定の長さの３つの第２プレート３２と、３つの連結プレート３３と、からなる。そして、複数の結合ユニット３０を、第１及び第２構造物１，２の間に第１水平方向Ｘに連続的に配列して取り付ける。そして、アーチプレート３４を、連結プレート３３のアーチ型辺３３０に沿って取り付ける。
【００２６】
エキスパンションジョイント結合構造３は、第１プレート３１、第２プレート３２、連結プレート３３及びアーチプレート３４で囲まれた空間３ａ（図２（Ｂ））に充填されるコンクリート３５を備える。空間３ａ内には、補強鉄筋（不図示）が配筋される。本実施形態では、図２（Ａ）の通り、連結プレート３３は、貫通孔３３ａを備えており、コンクリート３５が貫通孔３３ａを通過して、均一に充填される。また、連結プレート３３は、補強鉄筋を通すための複数の孔３３ｂを備える。
【００２７】
図２（Ａ）の通り、スラブ１０と壁面２０とを連結するアーチプレート３４がアーチ型に湾曲していることで、地震時におけるスラブ１０の荷重応力が向上すると共に、建物全体の粘り力及び弾性力が向上する。
【００２８】
また、アーチ型辺３３０がスラブ１０の下方に向けて湾曲していると共に、アーチプレート３４が角波鋼板で構成されることで、スラブ１０下を通行する者がエキスパンションジョイント結合構造３を観察する際に、デザイン性に非常に優れる印象を与えることができる。なお、アーチプレート３４は、曲げ加工された鋼板でもよい。
【００２９】
本考案のエキスパンションジョイント結合構造３では、コンクリート型枠を必要とせず、かつ、スラブ１０の下方に設置する足場やハシゴを必要としないので、施工期間が短縮されると共に、施工スペースを小さくできる。また、スラブ１０の下方を使用者が通行できるメリットもある。
【００３０】
また、予め製造された結合ユニット３０を設置することで、連結プレート３３を、現場で、第１及び第２プレート３１，３２に溶接等する必要がない。
【００３１】
また、第１プレート３１、第２プレート３２、連結プレート３３及びアーチプレート３４が金属製であるので、構造物１，２同士の結合強度が高いという効果がある。
【００３２】
以上、本考案の好ましい実施形態を説明したが、本発明の構成はこれらの実施形態に限定されるものではない。
【符号の説明】
【００３３】
１  第１構造物
２  第２構造物
３  エキスパンションジョイント結合構造
１０  スラブ
２０  壁面
３０  結合ユニット
３１  第１プレート
３２  第２プレート
３３  連結プレート
３４  アーチプレート
３３０  アーチ型辺
３３ａ  貫通孔
３３ｂ  孔
Ｘ  第１水平方向
Ｙ  第２水平方向
Ｚ  垂直方向
【図１】
0003208831.tif 000003
【図２】
0003208831.tif 000004
【図３】
0003208831.tif 000005